(57)【要約】【課題】  部品点数を少なくして管理が容易であり、また、組み立ての手間がそれほどかゝらないトマトやキュウリの栽培具を提供する。【解決手段】  トマトやキュウリの茎を案内支持するガイド板２と、ガイド板２の両側辺に沿って折り曲げ可能にガイド板２の両側に延設され、互いに係合する一対の係合部５，６が設けられた一対の側板７，８とからなり、一方の側板７の端部には、地上より所定の高さに張られた架線ａに吊り下げるための吊り下げ部１１を有する提手１２が設けられ、ガイド板２の両側辺３，４に沿って各側板７，８を折り曲げるとともに一対の係合部５，６を係合して、トマトやキュウリの茎を挿通して横向きに曲げて保持する筒状の空間部２０を形成するように構成した。【選択図】  図１
2007000044.tif 000002
【特許請求の範囲】
【請求項１】
トマトやキュウリの立木の上方に配設して、傍に伸びたトマトやキュウリの茎の上部を横向きに曲げて成長させるトマトやキュウリの栽培具であって、
トマトやキュウリの茎を案内支持するガイド板と、該ガイド板の両側辺に沿って折り曲げ可能に前記ガイド板の両側に延設され、互いに係合する一対の係合部が設けられた一対の側板とからなり、前記一方の側板の端部には、地上より所定の高さに張られた架線に吊り下げるための吊り下げ部を有する提手が設けられ、前記ガイド板の両側辺に沿って前記各側板を折り曲げるとともに前記一対の係合部を係合して、トマトやキュウリの茎を挿通して横向きに曲げて保持する筒状の空間部を形成することを特徴とするトマトやキュウリの栽培具。
【請求項２】
前記一方の側板の提手の近傍に孔が設けられ、前記一方に対する他方の側板の端部は前記孔に挿し込み可能な舌片に形成され、前記一対の係合部は前記孔の近傍と前記舌片に設けられ、前記ガイド板の両側辺に沿って前記各側板を折り曲げて前記舌片を前記孔に挿通するとともに前記一対の係合部を係合して、トマトやキュウリの茎を挿通して横向きに曲げて保持する筒状の空間部を形成することを特徴とする請求項１に記載のトマトやキュウリの栽培具。
【発明の詳細な説明】
【技術分野】
【０００１】
本発明は、トマトやキュウリの茎を保持する栽培具に関するものである。
【背景技術】
【０００２】
通常、トマトは温室内で栽培され、茎に葉が下から３枚生えるごとに一段宛果房が付く。従来は地上１．６〜１．８ｍの高さに架線を張り、架線に上端を連結して真下に吊り下げた紐などの誘引線にトマトの茎を所々縛り、真っ直ぐ上向きに成長させていた。この場合、温室の高さが決められているためトマトやキュウリの高さが約１．６〜１．８ｍになると茎の上部は温室の天井近くの保温カーテンに当たり、収穫できる果房は約７段位になる。果実の収穫量を増加するには、架線からトマトの木に向かって斜めに誘引し、トマトの茎の所々を誘引線に沿って斜め上向きに伸ばし、これにより茎の長さを長くし、収穫できる果房の段数を多くすることができる。
【０００３】
しかしながら茎を斜め上向きに生育させるには、真上に向かって伸びようとする茎を誘引線に沿って留め具で留めて斜めに誘引しなければならないので手数がかゝる上に、茎は強制的に斜め上向きに生育されるのでストレスによって根は土壌中で浅くしか伸びず、立木の樹勢が悪い。そこで、茎の上部が架線や、その上のほゞ水平な保温カーテンに届くようになったら茎をスムースに下向きにＵターンさせ、樹勢を衰えさせることなく果房が成る段数を多くし、果実の収穫量を多くするトマトやキュウリの栽培具が使用されている。
【０００４】
この種の栽培具について図５を参照して説明する。図５において、架線ａから真っ直ぐに吊り下げた誘引線ｂには、洗濯挟み形の留め具でトマトやキュウリの立木の茎の所々を留めてある。栽培具の基板４０は、上部中央に上向きに突出した提手４２を有している。提手４２で架線ａに吊り下げると、基板４０はほゞ垂直になる垂直面４１を有する。回動体４３は中心部を上記垂直面４１にビスｃにより枢着している。回動体４３にはトマトやキュウリの茎を引掛ける引懸部４４を先端部に備えたレバー４５が回動体４３の外周から外に突出して設けてある。基板４０、回動体４３はプラスチックの成形品でよく、回動体４３は浅い皿形の円筒形ないしダイアル形である。レバー４５は先端の引懸部４４を回動体の底板の外面から放射方向に突出して回動体４３と例えば一体に成形する。
【０００５】
基板４０の垂直面４１は回動体４３の直径よりも大で、提手４２は垂直面４１の上面中央から上に突出し、上端に架線ａに吊り下げるための逆Ｕ字形の吊り下げ部４６を備えている。また、基板４０は、上半部４０ａが回動体４３の半径よりも大きく、下半部４０ｂは回動体の半径よりも少し大きい、そして、上半部と下半部とは同心である。このため、上半部４０ａの左右の下端部（左右両脇）には一対の爪４７，４７を設け、爪の間に茎を保持するようにしてある。又、上面中央には提手４２の下端部と協力して茎を保持するための保持爪４８が上向きに設けてある。
【０００６】
回動体４３とレバー４５は基板４０に対して時計方向にしか回動することができないので、茎を回動体４３よりも左の基板４０の垂直面４１に沿って延ばし、茎を引懸部４４に引懸け、回動体４３とレバー４５を時計方向に９時の状態から１２時の状態に回動して茎を真上から斜め上向きに曲げ、茎が更に成長するとレバーを１２時の状態から時計方向に３時又はそれ以降の状態に回動し、茎を回動体４３の回りで１８０°曲げる。これによって、トマトやキュウリは真上に向かって伸びようとしてもレバーを反時計方向に回動させることができないので、真上に向かって成長しているつもりでも、茎の上部は下向きにＵターンし、下向きになった茎の上部は、そこに成った果実の重量で下向きに成長する。
【特許文献１】特開平１０−７６８９１号公報
【発明の開示】
【発明が解決しようとする課題】
【０００７】
このような従来のトマトやキュウリの栽培具は、レバーを設けた回動体を基板の面にビスで取り付ける等、複数の部品を組み立てる構造であり、部品点数が多いために部品の管理が大変であり、また、組み立てに手間がかゝるため改善が望まれていた。
【０００８】
本発明は、上記課題を解決しようとするものであり、部品点数を少なくして管理が容易であり、また、組み立ての手間がそれほどかゝらないトマトやキュウリの栽培具を提供することを目的とするものである。
【課題を解決するための手段】
【０００９】
上記課題を解決するために請求項１に記載の発明は、トマトやキュウリの立木の上方に配設して、傍に伸びたトマトやキュウリの茎の上部を横向きに曲げて成長させるトマトやキュウリの栽培具であって、トマトやキュウリの茎を案内支持するガイド板と、該ガイド板の両側辺に沿って折り曲げ可能に前記ガイド板の両側に延設され、互いに係合する一対の係合部が設けられた一対の側板とからなり、前記一方の側板の端部には、地上より所定の高さに張られた架線に吊り下げるための吊り下げ部を有する提手が設けられ、前記ガイド板の両側辺に沿って前記各側板を折り曲げるとともに前記一対の係合部を係合して、トマトやキュウリの茎を挿通して横向きに曲げて保持する筒状の空間部を形成することを特徴とするトマトやキュウリの栽培具である。
【００１０】
また、請求項２に記載の発明は、前記一方の側板の提手の近傍に孔が設けられ、前記一方に対する他方の側板の端部は前記孔に挿し込み可能な舌片に形成され、前記一対の係合部は前記孔の近傍と前記舌片に設けられ、前記ガイド板の両側辺に沿って前記各側板を折り曲げて前記舌片を前記孔に挿通するとともに前記一対の係合部を係合して、トマトやキュウリの茎を挿通して横向きに曲げて保持する筒状の空間部を形成することを特徴とする請求項１に記載のトマトやキュウリの栽培具である。
【発明の効果】
【００１１】
本発明によれば、ガイド板の両側辺に沿って各側板を折り曲げるとともに各側板に設けられた一対の係合部の係合により簡単に組立できるので、部品点数が削減され、部品の管理および組み立てが容易となる。
【発明を実施するための最良の形態】
【００１２】
以下、図面に基づいて本発明の実施の形態を説明する。
【実施例】
【００１３】
図１は、本発明の実施例の栽培具の使用例を示す斜視図、図２（ａ）は同実施例の栽培具の展開図、図２（ｂ）は図２（ａ）のＡ−Ａ線断面図、図３は、図２の栽培具を組み立てる途中の状態の斜視図、図４（ａ）は同実施例の栽培具の斜視図、図４（ｂ）は図４（ａ）のＢ−Ｂ線断面図である。
【００１４】
図１〜図４において、トマトやキュウリの栽培具（実施例における以下の説明の中では栽培具と称する。）１０は、トマトやキュウリの立木１の上方に配設して、傍に伸びたトマトやキュウリの茎を横向きに曲げて成長させるものであり、トマトやキュウリの茎を案内支持する薄板状のガイド板２と、該ガイド板２の両側辺３，４に沿って折り曲げ可能にガイド板２の両側に延設され、互いに係合する一対の係合部５，６が設けられた薄板状の一対の側板７，８とからなっている。なお、ガイド板２の両側辺３，４には直線状の薄肉部が形成されており、ガイド板２の両側辺３，４に沿って容易に折り曲げることができる。一方の側板７の端部には、地上より所定の高さに張られた架線ａに吊り下げるための吊り下げ部１１を有する提手１２が設けられている。また、一対の側板７，８には多数の孔１３が設けられている。
【００１５】
そして側板７において、吊り下げ部１１と側辺３との間に位置する提手１２の間には、孔１４が設けられ、孔１４の近傍には一方の係合部５としての突起が設けられている。また、側板８の端部は、孔１４に挿し込み可能な形状の舌片１５に形成されており、舌片１５には他方の係合部６としての係合孔が設けられていて、突起５と係合孔６は互いに係合する。なお、側板８において、舌片１５と側辺４との間には、幅方向に直線状の薄肉部１６が形成されており、舌片１５は直線状の薄肉部１６で折り曲げて孔１４に容易に挿し込むことができる。
【００１６】
この栽培具１０を使用するには高さ１．６〜１．８ｍの位置に張り渡した架線ａに提手１２で吊り下げた栽培具１０から真っ直ぐに吊り下げた誘引線ｂに、洗濯挟み形の留め具でトマトやキュウリの立木１の茎の所々を留め、茎を誘引線に沿って真上に成長させる。茎の上部が架線ａや、その上のほゞ水平な図示しない保温カーテンに届くようになったら茎の上部をガイド板２の上に位置させて、ガイド板２の両側辺３，４に沿って折り曲げて、孔１４に舌片１５を挿し込んで挿通し、舌片１５の係合孔６を突起５に係合して栽培具１０を組み立てる。これにより栽培具１０は、突起５と係合孔６からなる一対の係合部を係合して、トマトやキュウリの茎を挿通して横向きに曲げて保持する筒状の空間部２０が形成され、この筒状の空間部２０内に茎の上部が包み込まれた状態で組み立てられる。この組み立てた栽培具１０を架線ａに提手１２で吊り下げれば筒状の空間部２０内に茎を挿通して横向きに曲げた状態でトマトやキュウリの立木の茎の上部が架線ａに提手１２で吊り下げた状態で保持される。
【００１７】
その後、トマトやキュウリは真上に向かって伸びようとしても栽培具１０は筒状の空間部２０内に茎を挿通して横向きに曲げた状態でトマトやキュウリを保持し、筒状の空間部２０内に茎を挿通した状態でトマトやキュウリを成長させるから、トマトやキュウリは真上に向かって成長しているつもりでも、茎の上部は筒状の空間部２０内に沿って、先ず、横向きに曲げて成長し、その後は自重で垂れ下がって下向きにＵターンし、下向きになった茎の上部は、そこに成った果実の重量でさらに下向きに成長する。
【産業上の利用可能性】
【００１８】
本発明は、特許請求の範囲に記載された本発明を逸脱することがなければ、種々の設計変更が可能であり、前記実施例に限定されないことはいうまでもない。
【図面の簡単な説明】
【００１９】
【図１】本発明の実施例の栽培具の使用例を示す斜視図である。
【図２】（ａ）は同実施例の展開図、（ｂ）は図２（ａ）のＡ−Ａ線断面図である。
【図３】図２の栽培具を組み立てる途中の状態の斜視図である。
【図４】（ａ）は同実施例の斜視図、（ｂ）は図４（ａ）のＢ−Ｂ線断面図である。
【図５】従来の栽培具の使用例を示す斜視図である。
【符号の説明】
【００２０】
１  トマトやキュウリの立木
２  ガイド板
３，４  側辺
５  係合部としての突起
６  係合部としての係合孔
７，８  側板
１０  栽培具
１１  吊り下げ部
１２  提手
１３，１４  孔
１５  舌片
１６  直線状の薄肉部
２０  空間部
ａ  架線
ｂ  誘引線
【図１】
2007000044.tif 000003
【図２】
2007000044.tif 000004
【図３】
2007000044.tif 000005
【図４】
2007000044.tif 000006
【図５】
2007000044.tif 000007